(57)【特許請求の範囲】
【請求項１】
扉に凹設されたオープンボタン取付孔にボタンボックスを設置し、前記ボタンボックスの前面開口部に嵌合して前記ボタンボックス取付孔の周縁前面にボタン飾り枠を設置し、前記ボタンボックス内にオープンボタン機構部を設置し、前記オープンボタン機構部のオープンボタンの押し込み操作にて扉オープンスイッチを投入し、前記扉を自動開放するようにした冷蔵庫であって、
前記ボタンボックスの前記前面開口部の周縁を二重壁にし、
前記ボタン飾り枠の裏面に形成された嵌合部を前記二重壁の内側壁の外側に嵌合させて当該ボタン飾り枠を前記ボタンボックスの前記前面開口部に取り付けたことを特徴とする冷蔵庫。
【請求項２】
前記ボタン飾り枠の嵌合部の内側面に係止部を形成し、前記ボタンボックスの内側壁の外側面に被係止部を設け、前記ボタン飾り枠の嵌合部の係止部を前記ボタンボックスの内側壁の被係止部に係止して当該ボタン飾り枠を前記ボタンボックスの前面開口部に取り付けたことを特徴とする請求項１に記載の冷蔵庫。
【請求項３】
前記ボタン飾り枠の嵌合部に前記係止部として係止凸起を形成し、前記ボタンボックスの内側壁の外側面に前記被係止部として係止孔を形成し、前記係止凸起を前記係止孔に係止したことを特徴とする請求項２に記載の冷蔵庫。
【請求項４】
前記ボタン飾り枠の内側面の複数カ所にクリアランス用リブを形成し、前記オープンボタンの周面に対向させたことを特徴とする請求項１〜３のいずれかに記載の冷蔵庫。
【請求項５】
前記オープンボタン機構部の外側面と前記ボタンボックスの内側面との少なくとも一方の側面の複数カ所それぞれにクリアランス用リブを形成し、当該クリアランス用リブが対向する相手方の側面に当接することにより、前記飾り枠の内周面とオープンボタンの外周面との間のクリアランスを一定に保持するようにしたことを特徴とする請求項１〜３のいずれかに記載の冷蔵庫。
【請求項６】
前記クリアランス用リブは、弾性変形可能なものであることを特徴とする請求項５に記載の冷蔵庫。
【請求項７】
前記ボタン飾り枠の内周縁裏面から後方と内方向に延びる段部を介して前記嵌合部が延出するように、当該段部及び嵌合部を形成し、
前記オープンボタン機構部は、前記オープンボタンの周縁部が前記段部の前方に位置して当該段部を覆うようにして前記ボタンボックスに取り付けたことを特徴とする請求項１〜６のいずれかに記載の冷蔵庫。
【発明の詳細な説明】
【技術分野】
【０００１】
実施の形態は、扉オープンボタン収容構造に特徴を持つ冷蔵庫に関する。
【背景技術】
【０００２】
オープンボタンをプッシュすることで扉オープンスイッチを投入し、扉開放用ソレノイドを動作させて扉を解放する扉自動オープン機構を備えた冷蔵庫が知られている。そのような冷蔵庫では、扉側に凹設したボックス収容部内にボタンボックスを取り付け、そのボタンボックスに表側からオープンボタン機構を挿入して嵌合させることによって取り付ける構成である。このような扉オープンボタン構造では、オープンボックスの扉表側から見える開口部の周縁には、ボタン飾り枠を嵌め込んで化粧する必要がある。
【０００３】
従来、このようなボタン飾り枠は細い樹脂製の枠体であり、その裏面の周囲に突設したリブの外周面をオープンボックスの開口部内周面に弾性的に嵌合して取り付ける構成であった。このような細い樹脂製の枠体で成るボタン飾り枠は、成形後に内倒れして内側に撓み変形する傾向があり、そのために、経時変形により、オープンボックスの開口部から内側に撓んで開口部の周縁との間に隙間が発生し、外観を悪くする問題点があった。
【発明の概要】
【発明が解決しようとする課題】
【０００４】
本発明は、このような従来技術の課題に鑑みてなされたもので、経時変形しにくく、見た目を悪化させないで美観を長期間維持できる扉オープンボタン装置を備えた冷蔵庫を提供することを目的とする。
【課題を解決するための手段】
【０００５】
実施の形態は、扉に凹設されたオープンボタン取付孔にボタンボックスを設置し、前記ボタンボックスの前面開口部に嵌合して前記ボタンボックス取付孔の周縁前面にボタン飾り枠を設置し、前記ボタンボックス内にオープンボタン機構部を設置し、前記オープンボタン機構部のオープンボタンの押し込み操作にて扉オープンスイッチを投入し、前記扉を自動開放するようにした冷蔵庫であって、前記ボタンボックスの前記前面開口部の周縁を二重壁にし、前記ボタン飾り枠の裏面に形成された嵌合部を前記二重壁の内側壁の外側に嵌合させて当該ボタン飾り枠を前記ボタンボックスの前面開口部に取り付けたことを特徴とする。
【図面の簡単な説明】
【０００６】
【図１】１つの実施の形態の冷蔵庫の斜視図。
【図２】上記冷蔵庫の左扉の下部に取り付ける扉オープンボタン装置の分解斜視図。
【図３】上記左扉のボタン取付部の分解斜視図。
【図４】上記冷蔵庫に取り付けられた扉オープンボタン装置の水平断面図。
【図５】図４におけるＡ部拡大断面図。
【図６】上記冷蔵庫のボタン取付部に取り付けるオープンボタン機構部をそのボタン表板をボタンベース部から取り外した状態を前方から見た分解斜視図。
【図７】上記冷蔵庫のボタン取付部に取り付けるオープンボタン機構部をそのボタン表板をボタンベース部から取り外した状態を後方から見た分解斜視図。
【図８】上記冷蔵庫のボタン取付部にオープンボタン機構部を取り付けた状態の側面断面図。
【図９】図８におけるＢ部拡大断面図。
【図１０】上記冷蔵庫のボタン取付部にオープンボタン機構部を取り付けた状態の水平断面図。
【図１１】図１０における一部拡大断面図。
【図１２】上記冷蔵庫のボタン取付部に取り付けるオープンボタン機構部にねじりコイルバネを用いた変形例の分解斜視図。
【図１３】上記冷蔵庫のボタン取付部に取り付けるオープンボタン機構部にねじりコイルバネを用いた変形例の別の分解斜視図。
【図１４】上記変形例で用いるねじりコイルバネの斜視図。
【発明を実施するための形態】
【０００７】
以下、実施の形態を図に基づいて詳説する。図１に１つの実施の形態の冷蔵庫１の全体を示している。冷蔵庫１は、上約半分を観音開き式に開閉する２枚の扉１１，１２にて閉塞される冷蔵室２とし、その下に野菜室３、その下に製氷室４と上貯蔵室としての上冷凍室５、さらにその下に下貯蔵室としての主冷凍室６を区分して設けてある。
【０００８】
冷蔵室２の前面開口部には、該開口部を幅方向に区分し、冷蔵本体の左右両側に設けたヒンジ２１，２２で回動自在に枢支した観音開き式の（向かって左の）左扉１１及び（向かって右の）右扉１２を設けあり、両扉１１，１２により閉塞される構成である。
【０００９】
冷蔵庫１の外箱、扉１１，１２は発泡ウレタンの充填された断熱パネルにて構成されている。扉１１，１２の所定位置に形成したボタンボックス取付孔３２Ａにボタンボックス３２２を挿入し、例えば粘着テープその他の固定手段にて固定しておき、この状態でウレタン断熱材の液を扉１１，１２の内部に注入して発泡させることにより、扉１１，１２を発泡ウレタンの充填された断熱パネルと成している。
【００１０】
図３に示すように、扉１１，１２それぞれのボタンボックス取付孔３２Ａにボタンボックス３２２を嵌め込み、このボタンボックス３２２に対して化粧材のボタン飾り枠３２１を嵌め込んでボタン取付部３２を構成する。そして、図２に示すように、扉１１，１２それぞれに取り付けられたボタン取付部３２に対して、後述するオープンボタン組体３００を前方から押し込んで弾性的に嵌合させて固定し、最後にこのオープンボタン組体３００に対して化粧板のボタン表板３０１を嵌め込んでオープンボタン機構部３０を完成させる。
【００１１】
このオープンボタン機構部３０の詳しい構成は後述するが、最も表側のボタン表板３０１を押し込む操作により、タクトスイッチで成る内部のオープンスイッチ５１が動作し、これに伴って冷蔵庫１の天部前端位置に設置した扉オープン用ソレノイド５２が作動してプランジャを押し出し、左右の扉１１，１２を自動的に押し出してオープンさせる。
【００１２】
図２、図３に示したように、扉１１，１２それぞれのボタン取付部３２は、扉１１，１２の表側の所定の場所に上下に長いボタンボックス取付孔３２Ａを形成し、その取付孔３２Ａの周縁にボタンボックス３２２を裏側から押し当て、係止凸片３２２５を取付孔３２Ａの周縁において扉１１，１２の表側に弾性的に係合することによって仮固定している。そして、扉１１，１２の表側からボタンボックス３２２の縁に沿ってボタン飾り枠３２１を嵌め合わせ、扉１１，１２の表板を表裏から挟持した構造である。
【００１３】
さらに、図４、図５に詳しく示すように、ボタンボックス３２２の開口前縁部は二重壁構造にしてあり、全周に渡り、外側に拡がるように段を成して外側壁として開口部フランジ３２２１が形成してある。そして、この開口部フランジ３２２１の内側に、内側壁として矯正リブ３２２２がボタンボックス３２２の内面とほぼ面一になるように形成してある。これらの開口部フランジ３２２１と矯正リブ３２２２との間には、開口部全周に渡り凹溝３２２３が形成されている。さらに、矯正リブ３２２２の前記凹溝３２２３に面する外側面の所定の箇所には、被係止部として係止孔３２２４が形成してある。
【００１４】
一方、ボタン飾り枠３２１の裏面の全周縁には、内側に曲がる段部３２１３を経て嵌合部３２１１が突設してある。嵌合部３２１１は、ボタンボックス３２２側の矯正リブ３２２２の周囲よりも若干大きい周寸法にしてあり、この嵌合部３２１１の内側面の所定の箇所、前記係止孔３２２４に対応する複数カ所、例えば、両側４カ所ずつには、係止部として係止凸起３２１２が形成してある。そして、ボタン飾り枠３２１をボタンボックス３２２に前側から組み付けた時には、嵌合部３２１１が矯正リブ３２２２の周りに被さり、係止凸起３２１２が係止孔３２２４に係入して係止され、これによりボタン飾り枠３２１がボタンボックス３２２に組み付けられて一体化し、両者のフランジ３２２Ａとボタン飾り枠３２１の張出し部３２１４の裏面との間で扉１１，１２の表板を挟持すると共に、外壁であるフランジ３２２１の内周面と段部３２１３から前方に延びる延出部３２１５との隙間が隠される形でこれらの扉１１，１２に組み付けられ、ボタン取付部３２が完成する。
【００１５】
このようにボタン取付部３２を構成することにより、ボタン飾り枠３２１はボタンボックス３２２の矯正リブ３２２２によって内側から外に向く力よって弾性的に支持される構造となる。細い樹脂製の枠体で成るボタン飾り枠３２１は、成形後に内倒れして内側に撓み変形する傾向があるが、このように内側から外に向く力によって支持されることで、経時変形によって内側に撓み変形することが防止され、製造当初の形状を長期に渡り維持できる。また少々の成形不良で当初から内倒れが発生していてもその形状を正規の矩形に戻してその形状を保持することもできる。よって、矯正リブ３２２２と嵌合部３２１１との隙間は一定に保たれ、美観を維持できる。
【００１６】
次に、上記のボタン取付部３２に対するボタン機構部３０の取り付けについて説明する。図２に示したように、ボタン取付部３２は表側（前方）に開口する矩形のボタンボックス３２２を有している。このボタンボックス３２２の内側面の複数カ所には前方側には抜けないようにする係合部３２３が形成してある。これに対して、オープンボタン機構部３０の基板保持部材３０４の外側面には、前記係合部３２３に係合して前方に抜け出ないように係止される係合用凸起３０５が形成してある。これにより、図２に示すように、組み上がった状態のオープンボタン組体３００をボタンボックス３２に前方から押し込むことにより、係合用凸起３０５が係合部３２３に係合して前方に抜け出ないように係止され、このオープンボタン組体３００に収容された状態になる。
【００１７】
オープンボタン機構部３０の構造は、次の通りである。オープンボタン機構部３０は、冷蔵庫１に向かって表側、すなわち、前側から後側に順に化粧板で成るボタン表板３０１、このボタン表板３０１の裏側に組み付けられて一体化されるボタンベース部材３０２、タクトスイッチで構成されるオープンスイッチ５１が長手方向（冷蔵庫１にあっては上下方向）の上位置、下位置それぞれに設置されているスイッチ基板３０３、そしてＵ字断面形状の基板保持部材３０４から構成されている。
【００１８】
特に図６、図７に詳しいように、ボタン表板３０１の裏面の長手方向に沿った両側にはフランジ部３０１３が形成してあり、このフランジ部３０１３の複数カ所に、嵌合用の弾性片３０１１が独立に形成してある。この嵌合用弾性片３０１１それぞれには、係止用孔３０１２が形成してある。これに対して、ボタンベース部材３０２はＵ字断面形状の箱形をし、その長手方向に沿った両側には、前記嵌合用弾性片３０１１に対応する複数の位置それぞれに嵌合用弾性片３０２１が形成してあり、この嵌合用弾性片３０２１それぞれには外側に突出する係止用凸起３０２２が形成してある。ボタン表板３０１に対してボタンベース部材３０２は、その各嵌合用弾性片３０２１を各嵌合用弾性片３０１１に内側から押し入れ、係止用凸起３０２２を係止用孔３０１２に内側から弾性的に係合させることによって一体化する。図２に示すように、ボタンベース部材３０２、スイッチ基板３０３そして基板保持部材３０４を組み付けて組体３００とし、これをボタン取付部３２内に嵌め込んだ後に、ボタン表板３０１をそのボタンベース部材３０２に上の手法により嵌合して一体化し、ボタン機構部３０の完成と同時にボタン取付部３２への取付が完了することになる。
【００１９】
ボタンベース部材３０２には、その底面の裏側部分の上下に離れた２カ所それぞれにバネ受け凹部３０２３が形成してある。また、上側のバネ受け凹部３０２３よりも上寄りの位置、また下側のバネ受け凹部３０２３よりも下寄りの位置それぞれに、スイッチ基板３０３上の上下それぞれのオープンスイッチ５１に対向する位置それぞれに、弾性押し片３０２４を切込によって形成してある。この弾性押し片３０２４は、スイッチ基板３０２のオープンスイッチ５１を押し下げて投入し、前述の扉オープン用ソレノイド５２を作動させる。また、この弾性押し片３０２４は、オープンボタン３１が強く押し込まれた場合には大きく反るように弾性変形し、オープンスイッチ５１に過度に押し込む力がかからないように保護する働きもする。
【００２０】
ボタンベース部材３０２の長手方向に沿った両側面それぞれの底部の上下２カ所に、したがって両側全部で４カ所に、それぞれ後ろ方向に半円状あるいは舌状のアーム部３０２５が延出させてある。各アーム部３０２５の先端部近くの外側面には、短円柱状で、かつ先端部が斜めにカットされた形状の係合用ピン３０２６が突設してある。アーム部３０２５の根本部分にはスリット３０２８が切ってあり、このスリット３０２８によりアーム部３０２５の全体がボタンベース部材３０２の横幅方向に弾性的に変形できるようにしてある。
【００２１】
これに対して、Ｕ字断面形状の基板保持部材３０４の両側壁部の４カ所それぞれには、嵌合固定部３０４１を形成してあり、かつ、各嵌合固定部３０４１には前後方向、つまり、ボタンベース部材３０２の押し込み、抜き出し方向に長い係合用長孔３０４２が形成してある。これらは、ボタンベース部材３０２に設けたアーム部３０２５、係合用ピン３０２６に対応している。
【００２２】
また、基板保持部材３０４の底部の幅方向の中央で長手方向に離れた２カ所、ボタンベース部材３０２に形成されているバネ受け凹部３０２３に対向する位置それぞれには、バネ受け凸起３０４３を突設してある。さらに、基板保持部材３０４の底部の長手方向の両脇４カ所には基板係止片３０４４が立設してある。
【００２３】
これにより、図８、図１０に示すようにしてボタン表板３０１、ボタンベース部材３０２、スイッチ基板３０３、基板保持部材３０４を一体に組み付けてオープンボタン機構部３０を組み立てる。すなわち、スイッチ基板３０３を基板保持部材３０４内に前側から挿入し、その長手方向の２カ所に設けたバネ通し孔３０３１を対応する位置のバネ受け凸起３０４３に通し、さらにスイッチ基板３０３を強く押し込むことによって、このスイッチ基板３０３の長手方向の両側端面部分を両側の基板係止片３０４４間に弾性的に押し込み、基板係止片３０４４の弾性によってスイッチ基板３０３の両側端面部分を係止し、固定する。このスイッチ基板３０３の底面側は、基板保持部材３０４の底部内角部に形成した受け座３０４５にて受け止められ、上側からの基板係止片３０４４による弾性力と相まって固定される。
【００２４】
続いて、バネ通し孔３０３１にコイルバネ５３を挿入してその一端部をバネ受け凸起３０４３にて受け止めさせてコイルバネ５３を自立させた状態にする。そして、ボタンベース部材３０２を基板保持部材３０４に前方から強く押し込む。これにより、ボタンベース部材３０２の各アーム部３０２５がスリット３０２８の部分の弾性変形によって基板保持部材３０４側の嵌合固定部３０４１の内側に撓んで入り込み、各係合用ピン３０２６が係合用長孔３０４２内に滑り込んで内側から係合する。これにより、円柱状の係合用ピン３０２６が係合用長孔３０４２内を前後方向（ボタン押し込み方向）にはその長孔の長さ寸法分だけはスライド可能な状態にし、かつそれ以外の方向には移動が規制された状態にしてボタンベース部材３０２が基板保持部材３０４に組み付けられ、図２に示したボタン機構組体３００ができる。そして、このボタン機構組体３００をボタン取付部３２に嵌め込んで組み付け、最後にボタン表板３０１をボタンベース部材３０２に上の方法によって組み付けてボタン取付部３２に対するボタン機構部３０の取付が完成する。
【００２５】
この完成状態においては、コイルバネ５３が長手方向の２カ所に存在し、基板保持部材３０４からオープンボタン３１を前方に押し出す反発力を付勢しているので、係合用ピン３０２６が係合用長孔３０４２の前端（冷蔵庫１にあって最手前側）の端部までスライドした状態に弾性的に保持される。この状態が、何も力を加えない自然状態となる。図１、図１０は、オープンボタン機構部３０については、この自然状態を示している。この冷蔵庫扉１１，１２に組み付けて、自然状態にある時、オープンボタン機構部３０のオープンボタン３１の前面（表から見える飾り面）は扉１１，１２の表面とほぼ面一になる設定である。
【００２６】
本実施の形態の冷蔵庫１において、扉１１，１２を開ける場合には、左右の扉１１，１２のどちらかのオープンボタン３１を押し込む操作をする。これにより、オープンボタン３１はコイルバネ５３のバネ力に抗して沈み込み、弾性押し片３０２４が対向しているオープンスイッチ５１を押し込んでオン動作させ、これに伴って冷蔵庫１の天部前端位置に設置されている扉オープン用ソレノイド５２が作動してプランジャを押し出し、左右の扉１１，１２を自動的に押し出してオープンさせる。
【００２７】
次に、ボタン機構部３０とボタン取付部３２との間のクリアランス規制構造について説明する。図８、図９に示すように、ボタン取付部３２を構成するボタン飾り枠３２１の内壁面において、ボタン表板３０１の長手方向（冷蔵庫１の上下方向）の少なくとも下側端面に対向する部分に縦方向クリアランス保持リブ４０１が適切な間隔を開けて複数カ所に形成してある。この縦方向クリアランス保持リブ４０１は、ボタン機構部３０が自重でボタン取付部３２内で上部下部に等間隔のクリアランスが形成されるようにボタン表板３０１を保持する。
【００２８】
また、図１０、図１１に示すように、ボタン取付部３２のボタンボックス３２２の開口部の内側の矯正リブ３２２２の長手方向の両壁の内側面それぞれにおいて、ボタン表板３０１の裏面のリブ３０１１の長手方向両側面それぞれに対向する部分に横方向クリアランス保持リブ４０２が適切な間隔を開けて複数カ所に形成してある。同様に、ボタン表板３０１の裏面のフランジ部３０１３の長手方向両側それぞれの外側面にも横方向クリアランス保持リブ４０３が形成してある。ここで、図１１に示すように、横方向クリアランス保持リブ４０２，４０３により形成されるボタン表板３０１のフランジ部３０１３の外側面とボタンボックス３２２の矯正リブ３２２２の内側面との間の隙間寸法ｄ１は、ボタン飾り枠３２１の内側面とボタン表板３０１の側端面との間の隙間寸法ｄ２よりも小さく設定してある（ｄ１＜ｄ２）。
【００２９】
これにより、これらの横方向クリアランス保持リブ４０２，４０３は、化粧板で成るボタン表板３０１がボタン操作によって押し込み方向にスライドするときに、その長手方向両端面がボタン飾り枠３２１の内壁面に擦れ、双方の表面に傷が発生しないようにクリアランスを形成し、また、ボタン表板３０１の外周面とボタン飾り枠３２１の内周面との間のクリアランスをほぼ一定に維持する。ボタン飾り枠３２１については、通常、その表側の張り出し部分にのみ金属メッキその他の表面化粧処理がしてあり、後部の嵌合部３２１１に対しては樹脂色のままとされる。
【００３０】
そこで、本実施の形態のように、段部３２１３と矯正リブ３２２２との隙間を端面張出し部３０１４によって覆うようにボタン表板３０１を配置することにより、隙間が使用者から見えず、美観がより向上する。また、特に、ボタン飾り枠３２１の内側面とボタン表板３０１の開口部内側面との間の隙間寸法ｄ２を小さくすることにより、隙間を覆い隠すことができる。こうして、ボタン表板３０１の外周面とボタン飾り枠３２１の内周面との間のクリアランスを一定に維持すると共に、そのクリアランスを小さくして奥の樹脂部が外から見えないようすることにより、扉オープンスイッチ部分の美観を長期に渡り保つことができる。
【００３１】
以上により、本実施の形態の冷蔵庫１では、ボタン取付部３２のボタン飾り枠３２１をボタンボックス３２２の開口部に二重に設けた内側の矯正リブ３２２２に対して外側から嵌合、係止させて一体化する構造としたので、成形不良や他の原因で細くて内倒れの変形が発生しやすいボタン飾り枠３２１をその内側から形状保持することができ、経時変形を防止して長期にわたり美観を保つことができる。
【００３２】
また、ボタン表板３０１の外周面とボタン飾り枠３２１の内周面との間のクリアランスを全周に渡って所定の寸法で保持できるので、ボタンの動きを阻害することになく、しかもこの点からもボタン部分の美観を高めることができる。さらに、ボタン表板３０１の外周面とボタン飾り枠３２１の内周面との間のクリアランスからその後側の樹脂部分を見えなくしているので、この点でも美観を高めることができる。
【００３３】
尚、本発明は、上記の実施の形態に限定されるものではなく、要旨を変更しない範囲で構成の変更が可能である。
【００３４】
例えば、ボタン機構部の弾性手段であるコイルバネ５３の代わりに、ねじりコイルバネ５４を採用することもできる。この場合、図１２、図１３に示すように基板保持部材３０４にねじりコイルバネ５４を支持させ、ボタンベース部材３０２に弾性力を与えるようにすればよい。図１４に示すように、ねじりコイルバネ５４は、針金状のバネ材がコイル状に巻かれてなるコイル部５４ａと、このコイル部５４ａの一端から接線方向に引き出された第１腕部５４ｂと、コイル部５４ａの他端から接線方向に引き出されたコ字状の第２腕部５４ｃとを備えて構成されている。
【００３５】
基板保持部材３０４には、スイッチ基板３０３と位置決めするための凸起３０４３が二つ設けられ、その間に小凸起３０４６が設けられている。スイッチ基板３０３にはその３つの突起を受ける孔３０３１、３０３２が設けれており、それぞれに突起が挿入されることによりスイッチ基板３０３は基板保持部材３０４に位置決めされる。
【００３６】
そして基板保持部材３０４の底面には、穴３０４ｂが設けられておりその側面にねじりコイルバネ５４のコイル部５４ａを支持する支持部３０４ａが設けられ、さらに穴３０４ｂの中間部に橋状に第１腕部５４ｂを係合支持する溝部３０４ｃが設けられている。
【００３７】
またスイッチ基板３０３の側面には、第２腕部５４ｃのコイル部５４ａから延びる線材が通過できる大きさの切り欠き部３０３ａが形成されている。
【００３８】
これら構成において、取り付け方法としては、基板保持部３０４の支持部３０４ａにコイル部５４ａを支持するとともに、第１腕部５４ｂを溝部３０４ｃに係合させながら第１腕部５４ｂの先端を穴３０４ｂを通して基板保持部材３０４の裏面に位置させることで、基板保持部３０４にねじりコイルバネ５４を取り付ける。そして第２腕部５４ｃを避けながら、基板保持部３０４の突起３０４３、３０４６を孔３０３１、３０３２に挿入することで基板保持部３０４上にスイッチ基板３０３を取り付ける。そして位置決め孔３０３２から突出した小凸起３０４６に第２腕部５４ｃの先端が引っ掛かるように配置することにより、ねじりコイルバネ５４の第２腕部５４ｃがスイッチ基板３０３の上方に位置するように配置され、図１３に示すように基板保持部材３０４とねじりコイルバネ５４が弾性可能に取り付けられる。
【００３９】
この構成によりボタンベース部材３０２と第２腕部５４ｃの曲がり部が当接されてボタンベース部材３０２が押し込まれる力に対しバネ反発力を与えることができ、ボタンベース部材３０２の押圧にしたがって第２腕部５４ｃが押圧方向に移動することによりオープンスイッチ５１が押されるようになる。
【符号の説明】
【００４０】
１  冷蔵庫
１１，１２  扉
３０  オープンスイッチ機構部
３００  オープンボタン組体
３０１  ボタン表板
３０１３  フランジ部
３０４  基板保持部
３１  オープンボタン
３２  ボタン取付部
３２１  飾りボタン枠
３２１１  嵌合部
３２１２  係止凸起（係止部）
３２１３  段部
３２２  ボタンボックス
３２２１  開口部フランジ
３２２２  矯正リブ
３２２３  凹溝
３２２４  係止孔（被係止部）
【図１】
0005444164.tif 000002
【図２】
0005444164.tif 000003
【図３】
0005444164.tif 000004
【図４】
0005444164.tif 000005
【図５】
0005444164.tif 000006
【図６】
0005444164.tif 000007
【図７】
0005444164.tif 000008
【図８】
0005444164.tif 000009
【図９】
0005444164.tif 000010
【図１０】
0005444164.tif 000011
【図１１】
0005444164.tif 000012
【図１２】
0005444164.tif 000013
【図１３】
0005444164.tif 000014
【図１４】
0005444164.tif 000015